(57)【特許請求の範囲】
【請求項１】
運動を行っている状態の被験者が受けた外部刺激の前後における当該被験者の生体信号を測定する手段と、前記外部刺激の前後の生体信号の揺らぎの変化と被験者の年齢とから当該被験者の健康状態を、体調が良い、体調は平常、体調が悪いの３状態のうちの少なくとも２状態の何れかであるかを判断する判断手段とを備えたことを特徴とする健康状態判断装置。
【請求項２】
前記生体信号の揺らぎの変化をカオス解析を用いて解析する請求項１記載の健康状態判断装置。
【請求項３】
前記カオス解析としてカオスアトラクタ解析を用いて、カオスアトラクタの軌道周期を求め、その軌道周期の揺らぎをデトレンド変動分析により分析し、揺らぎの大きさを縦軸、ウインドウサイズを横軸として各ウインドウサイズに対する揺らぎの大きさを図に表し、外部刺激を与える前後の傾きの変化量を算出し、予め調査しておいた傾きの変化量と年齢とを変数とする健康状態区分から健康状態を判断する請求項２記載の健康状態判断装置。
【請求項４】
前記運動が歩行運動であって、前記外部刺激が坂道歩行、階段歩行、歩行速度変化の少なくとも一つである請求項１〜３のいずれかに記載の健康状態判断装置。
【請求項５】
運動器具を用いて運動を行っている被験者に対して外部刺激を与える請求項１〜３のいずれかに記載の健康状態判断装置。
【請求項６】
前記運動器具が歩行運動器具である請求項５記載の健康状態判断装置。
【請求項７】
前記外部刺激として歩行速度および歩行面傾斜角度の少なくとも一方を変化させる請求項６記載の健康状態判断装置。
【請求項８】
運動を行っている状態の被験者が受けた外部刺激の前後における当該被験者の生体信号を測定する工程と、前記外部刺激の前後の生体信号の揺らぎの変化と当該被験者の年齢とから被験者の健康状態を、体調が良い、体調は平常、体調が悪いの３状態のうちの少なくとも２状態の何れかであるかを判断する判断工程とを備えたことを特徴とする健康状態判断装置の作動方法。
【発明の詳細な説明】
【０００１】
【発明の属する技術分野】
本発明は被験者の健康状態を判断する方法および判断装置に関するものである。
【０００２】
【従来技術】
脈拍や血圧、体温、血糖値、呼吸、筋電、心電、血流、脳波、発汗量、加速度、振動、傾斜度といった生体信号を測定・分析して、人の健康状態を診断することが従来から種々試みられている。例えば特開平６−２１７９５１号公報には、測定した脈波からアトラクタを生成し、メモリに記憶されている複数のアトラクタパターンとこのアトラクタを比較して、アトラクタの形状や構造の類似度から人の健康状態を判断する発明が開示されている。また特公平６−９５４６号公報には、脈波及び／又は心電波の時系列データからカオスアトラクタを作成し、さらにカオスアトラクタを演算処理してリアプノフ指数を求め、心身の異常などを診断する発明が開示されている。そして特開２０００−１６６８７７号公報には、生体リズム情報を解析して生理機能の低下、老化を早期に判別する発明が開示されている。
【０００３】
【発明が解決しようとする課題】
これら開示された発明の判断方法によれば、ある程度有効な判断結果が得られるであろうとは推測されるが、判断に必要な生体信号を収集するのに長時間を要するため迅速な判断ができないという問題があった。
【０００４】
また一般に広く使用されていた従来の運動器具は、歩行運動や自転車運動などを行って人の運動不足を解消して健康の維持増進を図るものであって、人の健康状態を判断するようなものではなかった。
【０００５】
本発明はこのような従来の問題に鑑みてなされたものであり、被験者の健康状態を判断するのに必要な生体信号が迅速に収集できると同時に、精度のよい判断結果が迅速に得られる判断方法を提供することをその目的とするものである。
【０００６】
また、本発明は被験者の健康状態を判断するのに必要な生体信号が迅速に収集できると同時に、精度のよい判断結果が迅速に得られる判断装置を提供する。
また、人の健康の維持増進を図りさらに健康状態までを判断できる健康状態判断装置を提供する。
【０００７】
【課題を解決するための手段】
本発明によれば、運動を行っている状態の被験者に対して外部刺激を与え、当該外部刺激の前後における被験者の生体信号の変化と、被験者の年齢とから被験者の健康状態を、体調が良い、体調は平常、体調が悪いの３状態のうちの少なくとも２状態に判断することを特徴とする健康状態判断方法が提供される。
【０００８】
ここで、判断の精度を上げる観点から、カオス解析を用いて生体信号の変化を解析し健康状態を判断することが望ましい。
【０００９】
例えば、カオス解析としてカオスアトラクタ解析を用いて、カオスアトラクタの軌道周期を求め、その軌道周期の揺らぎをデトレンド変動分析（ＤＦＡ：Detrended Fluctuation Analysis）により分析し、揺らぎの大きさを縦軸、ウインドウサイズを横軸として各ウインドウサイズに対する揺らぎの大きさを図に表し、外部刺激を与える前後の傾きの変化量を算出し、予め調査しておいた傾きの変化量と年齢とを変数とする健康状態区分から健康状態を判断することができる。
【００１０】
判断の際に被験者にかける運動負担を軽減する観点から、前記運動としては歩行運動が好ましく、この場合外部刺激としては坂道歩行、階段歩行、歩行速度変化、音声刺激、映像刺激の少なくとも一つであるのがよい。
【００１１】
また、場所や天候などを考慮せずに簡便に行える点で、運動器具を用いて運動を行っている被験者に対して外部刺激を与えるのが望ましい。さらに診断の際に被験者にかける運動負担を軽減する観点から、前記運動器具は歩行運動器具であることが好ましい。この場合、歩行速度や歩行面傾斜角度を変化させることにより外部刺激を与えればよい。
【００１２】
被験者に外部刺激を与える他の方法として、運動器具に映像装置をさらに設け、この映像装置からの映像により外部刺激を与えるようにしてもよいし、運動器具に音声出力装置をさらに設け、この音声出力装置からの音声により外部刺激を与えるようにしてもよい。
【００１３】
被験者が携帯する際の重量負担を軽減する観点および利便性の観点から、被験者の生体信号は加速度センサ及び振動センサの少なくとも一方により測定することが推奨される。
【００１４】
また、本発明によれば、運動を行っている状態の被験者に外部刺激を与える刺激手段と、当該外部刺激の前後における被験者の生体信号の変化を測定する手段と、被験者の年齢を入力する入力手段と、前記生体信号の変化と、前記被験者の年齢とから被験者の健康状態を判断する判断手段とを備えたことを特徴とする健康状態判断装置が提供される。
【００１５】
【発明の実施の形態】
本発明者等は、被験者の健康状態を判断するのに必要な生体信号をいかにして迅速に収集するか鋭意検討を重ねた結果、被験者が運動を行っているときに外部刺激を与えると、被験者の健康状態に対応して生体信号が変化し、その変化は年齢と関連していることを見出し本発明をなすに至った。
【００１６】
すなわち本発明の健康状態判断方法では、運動を行っている被験者に外部刺激を与えて、被験者の生体信号がどのように変化するかを測定して、その生体信号変化と、被験者の年齢とから健康状態を判断する。このような判断方法によれば、外部刺激を与えて変化する生体信号を測定するだけなのでわずか数分程度の測定時間で判断が完了する。生体信号の測定装置を被験者に長期間携帯させて、得られた情報から健康状態を判断していた従来の判断方法に比べれば、本発明の判断方法の測定時間は格段に短いものである。
【００１７】
被験者が行う運動としては過激なものである必要はなく、例えば散歩やジョギング、階段の昇降といった軽度の運動でよい。本発明の健康状態判断方法の具体的構成の一例を図１に示す。運動している被験者の生体信号を測定手段１により測定する。そして被験者に外部刺激３を与えて、外部刺激３により被験者の生体信号がどのように変化するかを測定手段１で測定し、その測定データをデータ処理・解析手段２へ送る。一方、被験者の年齢を入力手段４から入力し、入力された年齢をデータ処理・解析手段２へ送る。そしてデータ処理・解析手段２で被験者の健康状態を判断する。
【００１８】
被検者に与える外部刺激としては特に限定はなく、どのような刺激であってもよいが、被検者に行わせる運動が歩行運動の場合には、坂道歩行、階段歩行、歩行速度変化、音声刺激、映像刺激の少なくとも一つであるのがよい。また歩行運動器具を用いる場合には、歩行速度や歩行面傾斜角度などの変化、あるいは音声刺激、映像刺激などがよい。
【００１９】
本発明で測定する生体信号としては、被験者の健康状態に関係するものであれば特に限定はなく、例えば被験者の振動や加速度、心電、血圧、体温、脈拍、筋電、発汗量、傾斜度などが挙げられ、これらの１つ又は２つ以上を組み合わせて測定すればよい。これらの生体信号の測定には、振動センサ、加速度センサ、心電センサ、血圧センサ、体温センサ、脈拍センサ、筋電センサ、発汗センサ、傾斜センサなどが使用でき、この中でも被験者への装着負担が少なく、また小型であることなどから振動センサや加速度センサの使用が望ましい。なお、これら測定器の装着場所は、被検者に行わせる運動や運動器具の種類、測定する生体信号の種類などから適宜決定すればよい。
【００２０】
本発明における被験者の健康状態の判断としては、外部刺激を与えた直後の被検者の生体信号の変化から行うこともできるし、外部刺激を与えた後、元の状態に戻し、外部刺激を与えた前後での被検者の生体信号の変化から行うこともできる。
【００２１】
ここで行動など生体に関する信号は一般に非線形データであるため、解析方法としては非線形解析方法を用いるのがよく、中でも非線形データの解析手法として広く用いられているカオス解析が最も好適に用いることができる。このカオス解析には、フラクタル次元解析やリアプノフ指数解析、カオスアトラクタ解析など種々の解析方法があるが、生体信号に関する解析手法としてはカオスアトラクタ解析が適している。具体的には得られた生体信号に基づき所望の数空間にカオスアトラクタを描き、描いたカオスアトラクタ形状から被験者の健康状態を判断する。
【００２２】
一方、カオスアトラクタの形状だけからでは違いが明確にわからない場合がある。このような場合は、カオスアトラクタの軌道周期をさらに測定し、その軌道周期の揺らぎから健康状態を解析すればよい。例えば、数空間上の特定点を原点として極座標変換を行って角周期を求め、この角周期を軌道周期とする。そしてこの軌道周期の揺らぎの特徴から被験者の健康状態を判断するのである。図２を用いて説明すると、カオスアトラクタの点Ｏから右方向に水平線Ｓを引き、この水平線Ｓを基準線としてアトラクタ軌道が反時計回りに３６０°回転して基準線に戻ってくるまでの時間を測定し、この時間を軌道周期とすればよい。もちろん、軌道周期はアトラクタ軌道の一部分であってもよく、この場合は基準となる回転角度を決めておき、アトラクタ軌道がこの角度を移動する時間を測定すればよい。極座標変換の原点としては、簡単に算出できることからカオスアトラクタ構成要素の平均値座標点を用いるのが好ましい。なおアトラクタ軌道の形状によっては、求めた平均値座標点がアトラクタ軌道内になることもあるが、このような場合には平均値座標点近傍のアトラクタ軌道外の点を極座標変換の原点とすればよい。
【００２３】
被験者による歩行の加速度データから２次元数空間にカオスアトラクタを描いた後、極座標変換してカオスアトラクタの軌道周期を測定した結果の一例を図３に示す。図３（ａ）は健康時のアトラクタ軌道周期、同図（ｂ）は体調不良時のアトラクタ軌道周期である。両図のアトラクタ軌道周期の揺らぎを比較してみれば、体調の違いによる歩行データの違いが見いだせる。
【００２４】
アトラクタ軌道周期の揺らぎをさらに詳細に解析する場合には、デトレンド変動解析（ＤＦＡ：Detrended Fluctuation Analysis）、フーリエ変換などの周波数変換、ウェーブレット解析、マルチフラクタル解析などの従来公知の解析方法を用いればよく、この中でも大きな揺らぎに対しても客観的かつ正確に解析できる点でＤＦＡが特に好適に用いることができる。
【００２５】
ＤＦＡによる分析方法を概説すると、まず揺らぎの系を所定のウインドウサイズで区切り、各ウインドウサイズ毎に波形を直線近似する。そしてその直線近似からをズレの絶対値を積分し、この積分値を揺らぎの大きさとする。揺らぎの大きさを縦軸とし、ウインドウサイズを横軸として、各ウインドウサイズに対する揺らぎの大きさをプロットして、その傾きやｙ切片を状態の判定・予測の指標とするのである。
【００２６】
本発明者等による実験よれば、平坦歩行−坂道歩行−平坦歩行を被験者させたときの、坂道を上る前後での歩行加速度データの揺らぎの傾き変化量が、そのときの被験者の健康状態と密接に関係していることが突き止められた。坂道を上る前・後の加速度波形を図４（ａ），（ｂ）に示し、これら加速度波形からＤＦＡを用いて求めた歩行間隔の揺らぎを図５に示す。そして年齢の異なる複数の被験者に対して同様の実験を行い、図５における２つの直線の傾きの変化量を算出し、傾きの変化量を縦軸とし、年齢を横軸としてプロットしたものを図６に示す。ここで、被験者の実験時の体調を併せて調査し、体調がよいと申告した被験者のデータを「◎」、体調は平常と申告した被験者のデータを「○」、体調が悪いと申告した被験者のデータを「×」で表示してある。図６から理解されるように、良好、平常、不良の各健康状態領域は図上で区分けできる。したがって、歩行加速度などの生体信号の測定結果から前記揺らぎの傾き変化量を算出すれば、図６において傾き変化量と年齢からそのときの健康状態が判断できるのである。
【００２７】
例えば図６において、年齢２９歳の人であれば、算出した傾き変化量が、ゼロより小さければ「体調不良」、ゼロ〜０．１であれば「平常」、０．１以上であれば「体調良好」と判断できる。
【００２８】
なお、外部刺激の種類を坂道歩行から階段歩行に代えても同様の結果が得られる。また検知手段を加速度センサから振動センサに代えても同様の結果が得られる。振動センサにより検知された振動波形の一例を図７に示す。
【００２９】
また運動器具を用いて被験者に運動を行わせれば、より簡便に生体信号を測定することができる。このような運動器具としては特に限定はなく、従来公知の運動器具を用いることができ、例えば歩行運動器具（トレッドミル）、自転車運動器具（エアロバイク）、階段登り運動器具（エアロクライム）などの運動器具が挙げられる。この中でも被験者への運動負担や利便性などの観点から歩行運動器具を用いることが推奨される。
【００３０】
運動器具を用いた場合の被験者に与える外部刺激としては特に限定はなく、例えば運動器具の条件変化による刺激や映像による刺激、音声による刺激などが考えられる。前記運動器具の条件変化による刺激としては、運動器具として歩行運動器具を例にとれば、歩行速度を早くしたり、遅くしたりする刺激、あるいは歩行面傾斜角度を急にしたり、緩やかにしたりすることによる刺激が挙げられる。
【００３１】
また映像による刺激は、運動器具の周囲に映像装置を配設して被験者の視覚を通して与える刺激である。例えば歩行運動器具上を歩いている被験者に対して、歩行運動器具の前側に設けたスクリーンあるいは頭部に装着したディスプレイに歩道を歩いている映像を投影して、被験者が歩道を歩いている状態を仮想的に創り出し、そして突然横からクルマが飛び出してくる映像を投影してこの時の被験者の生体信号の変化を測定するのである。
【００３２】
音声による刺激は、運動器具の周囲に音声出力装置を配設して被験者の聴覚を通して与える刺激である。例えばイヤホンにより一定のリズムが与えられて歩行運動器具上を歩いている被験者に対して、イヤホンから大きな音など不快な音を突然流して被験者の生体信号の変化を測定する、あるいは行進曲などのリズミカルな音楽を数分間聴かせた後で被験者の生体信号の変化を測定するのである。
【００３３】
次に本発明の健康状態判断装置について説明する。この診断装置は、運動器具部と、被験者に外部刺激を与える刺激手段と、外部刺激による被験者の生体信号の変化を測定する測定手段と、被験者の年齢を入力する入力手段と、生体信号の変化から被験者の健康状態を判断する判断手段とを備えた構成を有する。
【００３４】
運動器具としては前記例示した運動器具がここでも使用することができる。また刺激手段としては、前記例示した運動器具の条件制御部、映像装置、音声出力装置などが挙げられ、さらに測定手段としては、前記例示した振動センサ、加速度センサ、心電センサ、血圧センサ、体温センサ、脈拍センサ、筋電センサ、発汗センサ、傾斜センサなど従来公知の測定器が挙げられる。入力手段としては、従来公知のものが使用でき、例えば数字キーを備えたものが例示できる。そしてまた判断手段としては、前記説明したカオス解析、さらにはカオスアトラクタ解析を用いることができる。
【００３５】
この健康状態判断装置は、運動器具部により通常の運動器具としての役割を果たすのみならず、前記判断手段などにより被験者の健康状態を判断することもできる。したがってこの判断装置では、運動開始時に被験者の健康状態を判断し、その判断結果に基づきその日の運動プログラムを決定するというような利用態様も可能である。
【００３６】
本発明の健康状態判断装置の一実施態様を図８に示す。図８は当該判断装置の概説図である。この健康状態判断装置は、歩行運動器具（運動器具部）６と、歩行運動器具６の前側に配置されたスクリーン（刺激手段）７と、被験者が携帯した加速度センサ（測定手段）８と、年齢を入力する入力手段５と、判断手段９とを備える。加速度センサ８を携帯した被験者は、入力手段５から年齢を入力する。そして、前面のスクリーン７に映し出される画面を見ながら歩行運動器具６の歩行ベルト６１上を歩行する。スクリーンには、散歩しているときの町や自然の風景が当初は映し出される。そこに突然クルマや犬が横から飛び出してくるといった映像を映す。このときの被験者の加速度の乱れを加速度センサ８で測定し、測定データを判断手段９へ送信する。判断手段９は、データ処理・解析手段９１と、健康状態の判断手段９２と出力手段９３とを有し、送信されてきた測定データに基づき被験者の健康状態を判断する。判断方法は前記と同様であるのでここでは説明を略する。
【００３７】
図８では、スクリーン７に映し出された映像により外部刺激を被験者に与えたが、歩行運動器具６の歩行ベルト６１の歩行速度や傾斜角度を変化させて被験者に外部刺激を与えてもよく、またこれらを組み合わせて外部刺激を与えてももちろん構わない。
【００３８】
【実施例】
実施例１
加速度センサを携帯した被験者にトレッドミルの歩行ベルト上を歩かせる。歩行ベルトの速度を時速４ｋｍ／ｈから６ｋｍ／ｈに上げて１０分間歩かせた後、再び元の速度に戻して、歩行ベルトの速度を上げる前後での加速度を測定した。測定した加速度データをＤＦＡを用いて解析した。結果を図９に示す。図９では、歩行ベルトの速度を上げた後は上げる前に比べて揺らぎが全体に大きくなっている。この揺らぎの増加は被験者の疲労度と関連していると考えられ、疲労度が大きいほど高速歩行後の揺らぎの増加は大きくなる。また体調と疲労度も密接な関係があり、体調がよいほど疲労度は小さい。したがって疲労度の大きさ、すなわち高速歩行後の揺らぎの増加の大きさを健康状態の指標とでき、揺らぎの増加が小さいほど体調は良好と判断できる。
【００３９】
実施例２
加速度センサを携帯した被験者にトレッドミルの歩行ベルト（時速４．０ｋｍ）上を歩かせ、さらに被験者にはイヤホンを付けさせた。そしてイヤホンからリズミカルな音楽（行進曲）を５分間流し、音楽を聴く前と後の加速度変化を測定した。測定した加速度データをＤＦＡを用いて解析した。結果を図１０に示す。図１０では、音楽を聴いた後は聴く前に比べて揺らぎの傾きが小さくなっている。この揺らぎの傾きは歩行リズムの規則性と関連していると考えられ、歩行リズムが規則的になるほど揺らぎの傾きは小さくなる。また体調と音楽リズムへの順応性とも密接な関係があり、一般に体調がよいほど音楽のリズムに順応しやすい。したがって、音楽のリズムへの順応性、すなわち揺らぎの傾き変化（減少方向）を健康状態の指標とでき、揺らぎの傾き変化（減少方向）が大きいほど体調は良好と判断できる。
【００４０】
【発明の効果】
本発明の健康状態判断方法では、運動を行っている被験者に対して外部刺激を与えて、外部刺激による被験者の生体信号の変化と、被験者の年齢とから健康状態を判断するので、従来の判断方法に比べ格段に短い時間で精度よく、体調が良い、体調は平常、体調が悪いの３状態あるいはそのうちの２状態を判断することができる。
【００４１】
また、本発明の健康状態判断装置では、運動を行っている被験者に対して外部刺激を与えて、外部刺激による被験者の生体信号の変化と、被験者の年齢とから健康状態を判断するので、従来の判断方法に比べ格段に短い時間で精度よく判断することができる。
また本発明の健康状態判断装置では、運動開始前に自己の健康状態を判断し、その判断結果に基づきその日の運動プログラムを設定すれば、無理なく効果的に健康の維持増進が図れる。
【図面の簡単な説明】
【図１】  本発明の健康状態判断方法の構成例を示すブロック図である。
【図２】  カオスアトラクタを２次元数空間に描いた一例を示す図である。
【図３】  アトラクタ軌道周期の変化を示す図である。
【図４】  坂道歩行の前後の平坦歩行における加速度データである。
【図５】  図５の加速度データから求めたＤＦＡ結果である。
【図６】  図６の傾きの変化量と年齢との関係を示す図である。
【図７】  平坦歩行時の振動センサの波形である。
【図８】  本発明の健康状態判断装置の一例を示す概説図である。
【図９】  実施例１における加速度データのＤＦＡを用いた解析結果である。
【図１０】  実施例２における加速度データのＤＦＡを用いた解析結果である。
【符号の説明】
１  測定手段
２  データ処理・解析手段
３  外部刺激
４  入力手段
５  入力装置（入力手段）
６  歩行運動器具（運動器具部）
７  スクリーン（刺激手段）
８  加速度センサ（測定手段）
９  判断手段
６１  歩行ベルト
９１  データ処理・解析手段
９２  健康状態の判断手段
９３  出力手段
【図１】
0004767405.tif 000002
【図２】
0004767405.tif 000003
【図３】
0004767405.tif 000004
【図４】
0004767405.tif 000005
【図５】
0004767405.tif 000006
【図６】
0004767405.tif 000007
【図７】
0004767405.tif 000008
【図８】
0004767405.tif 000009
【図９】
0004767405.tif 000010
【図１０】
0004767405.tif 000011